(57)【要約】【課題】  保存安定性が大きく、正帯電性が良好な湿式現像剤を提供する。【解決手段】  キャリア液として植物油を使用した液体現像剤において、着色剤が化学式１で表されるベンズイミダゾール顔料と正極性の帯電制御剤を含む正帯電性である液体現像剤。【化１】2007017956.tif 000015  ここに、Ｒ１：ＯＣＨ3 、ＣＯＯＣＨ3、ＣＯＯＣ4Ｈ9（ｎ）であり、Ｒ２：ＮＯ2、Ｈ、ＣＯＮＨＣ6Ｈ5、ＳＯ2ＮＨＣＨ3 であり、Ｒ：Ｈ、ＣＨ3である。【選択図】  なし【特許請求の範囲】
【請求項１】
キャリア液として植物油を使用した液体現像剤において、着色剤が化学式１で表されるベンズイミダゾール顔料と正極性の帯電制御剤を含み正帯電性であることを特徴とする液体現像剤。
【化１】
2007017956.tif 000012
ここに、Ｒ１：ＯＣＨ3 、ＣＯＯＣＨ3、ＣＯＯＣ4Ｈ9（ｎ）であり、Ｒ２：ＮＯ2、Ｈ、ＣＯＮＨＣ6Ｈ5、ＳＯ2ＮＨＣＨ3 であり、Ｒ：Ｈ、ＣＨ3である。
【請求項２】
着色剤が以下の化学式２で表されるピグメントレッド１７１、化学式３で表されるピグメントレッド１７５、化学式４で表されるピグメントレッド１７６、化学式５で表されるピグメントレッド２０８の少なくともいずれかのベンズイミダゾール顔料を含有することを特徴とする請求項１記載の液体現像剤。
【化２】
2007017956.tif 000013
【請求項３】
植物油が、サフラワー油、ひまわり油、大豆油、とうもろこし油、綿実油、菜種油、あまに油から選ばれる少なくとも一種からなることを特徴とする請求項１または２記載の液体現像剤。
【請求項４】
植物油が、トリグリセライドを構成する脂肪酸中にオレイン酸組成を６０質量％以上含有することを特徴とする請求項１〜３のいずれか１項記載の液体現像剤。
【請求項５】
植物油が、トリグリセライドを構成する脂肪酸中にリノール酸組成を５０質量％以上含有することを特徴とする請求項１〜４のいずれか１項記載の液体現像剤。
【請求項６】
植物油が、トリグリセライドを構成する脂肪酸中にリノレイン酸組成を５０質量％以上含有することを特徴とする請求項１〜５のいずれか１項記載の液体現像剤。
【請求項７】
植物油中に分散された着色微粒子の一次粒子径が少なくとも１μｍ以下であることを特徴とする請求項１〜６のいずれか１項記載の液体現像剤。
【請求項８】
正極性の電荷制御剤である有機チタネート化合物を含有することを特徴とする請求項１〜７のいずれか１項記載の液体現像剤。
【請求項９】
キャリア液として植物油を使用した液体現像剤の製造方法において、化学式１〜５で表されるマゼンタ顔料を、植物油、正極性の電荷制御剤と混合してボールミル、ビーズミル、サンドミル、アトライターから選ばれる少なくとも１種の分散混合手段によって分散したことを特徴とする液体現像剤の製造方法。
【化３】
2007017956.tif 000014
ただし、化学式１において、Ｒ１：ＯＣＨ3 、ＣＯＯＣＨ3、ＣＯＯＣ4Ｈ9（ｎ）であり、Ｒ２：ＮＯ2、Ｈ、ＣＯＮＨＣ6Ｈ5、ＳＯ2ＮＨＣＨ3 であり、Ｒ：Ｈ、ＣＨ3である。
【発明の詳細な説明】
【技術分野】
【０００１】
本発明は、複写機，プリンタなどに用いる電子写真方式の画像形成装置に使用する液体現像剤に関するものである。
【背景技術】
【０００２】
液体現像剤を用いた画像形成装置は、微細なトナー粒子を用いた場合にも、装置外への飛散による問題が生じることがなく、高精細画像が形成可能であるという特徴を有している。液体現像剤を用いた電子写真方式の画像形成装置では、キャリア液中に樹脂および着色剤を主な構成成分としたトナーを分散した現像剤が用いられており、感光体上に露光によって画像形成を行い形成された静電潜像を液体現像剤に現像している。
現像後には、得られたトナー像を紙などの記録媒体上に転写して熱的に定着することによって画像形成が行われている。
【０００３】
湿式現像剤では、石油系の揮発性炭化水素系溶媒が用いられていたが、揮発性炭化水素系溶媒は、電気伝導度が低く安定な物質であるが、記録媒体上に転写または記録されたトナーを定着する際に、キャリア液の揮発性炭化水素系有機溶媒を揮発ないし蒸発させる必要がある。キャリア液として使用されている揮発性炭化水素系有機溶媒が排出されると、環境汚染を引き起こす可能性があった。
そこで、使用環境に配慮するために気体状になった蒸発ないし揮発したキャリア液の回収手段を定着装置近傍に設けることが必要となるが、キャリア液の回収手段によって、画像形成装置が大型化にならざるを得ず、小型化には不利であった。
【０００４】
また、不揮発性のシリコーンオイルや流動パラフィンをキャリア液に使用することで、キャリア液の蒸発ないし揮発を防止することも提案されているが、キャリア液が安定している故に、定着後も記録媒体に存在し続けることとなる。その結果、印字品質の風合い低下やキャリア液が紙表面に存在することで、捺印性の低下、水性インキを使用する筆記具の筆記特性が低下等の問題点もあった。
また、従来の液体現像剤を製造するとき、各成分をキャリア液である非水系の無極性溶媒に分散させて使用するが、その無極性溶媒の性質により、装置の大型化、記録物の品質の悪化、液体現像剤の保存安定性などに問題を残すものであった。
【０００５】
一方、揮発性炭化水素系有機溶媒に代えて植物油をキャリア液とすることが数多く提案（例えば、特許文献１）されており、植物油を液体現像剤のキャリア液に用いたことによって、粒径が小さく、無臭で画像濃度、解像度、定着性を高めることができるとされている。
【０００６】
キャリア液に植物油を使用した液体現像剤において、マゼンタ顔料をキャリア液に分散して正帯電用の液体現像剤を作製して、その極性を電気泳動法により調べると、マゼンタ顔料は正負の両方の極性を有するので、充分な画像濃度のマゼンタ着色画像を形成することができなかった。そこで、マゼンタ顔料を正帯電させるためには大量の正帯電性電荷制御剤（ＣＣＡ）の使用が不可欠と考えられていた。また、電荷制御剤の配合量が多くなると、分散液の保存性が不安定となり、特に、液体状金属石鹸を使用すると、長期保存においてキャリア液の植物油の重合等によって粘度が上昇して液体現像剤の機能を果たすことが困難となるという問題点があった。
【特許文献１】特開２０００−１９７８７号公報
【発明の開示】
【発明が解決しようとする課題】
【０００７】
本発明は、植物油をキャリア液とした正帯電用の液体現像剤において、正極性に帯電性を調整する電荷制御剤の配合量がが極わずかでも、正帯電性とするとともに、保存安定性が優れた液体現像剤を提供することを課題とするものである。また、着色顔料微粒子の分散一次粒子径が小さく、植物油中において、わずかな正帯電制御剤を添加によって確実に正極性への制御可能となり、感光体上のカブリトナー量が減少することが可能で現像と同時にクリーニングが可能な液体現像剤を提供することを課題とするものである。
【課題を解決するための手段】
【０００８】
本発明の課題は、キャリア液として植物油を使用した液体現像剤において、キャリア液着色剤が化学式１で表されるベンズイミダゾール顔料と正極性の帯電制御剤を含むを正帯電性である液体現像剤である。
【０００９】
【化４】
2007017956.tif 000002
ここに、Ｒ１：ＯＣＨ3 、ＣＯＯＣＨ3、ＣＯＯＣ4Ｈ9（ｎ）であり、Ｒ２：ＮＯ2、Ｈ、ＣＯＮＨＣ6Ｈ5、ＳＯ2ＮＨＣＨ3 であり、Ｒ：Ｈ、ＣＨ3である。
【００１０】
また、着色剤が以下の化学式２で表されるピグメントレッド１７１、化学式３で表されるピグメントレッド１７５、化学式４で表されるピグメントレッド１７６、化学式５で表されるピグメントレッド２０８の少なくともいずれかのベンズイミダゾール顔料を着色剤を含有する前記の液体現像剤である。
【化５】
2007017956.tif 000003
【００１１】
植物油が、サフラワー油、ひまわり油、大豆油、とうもろこし油、綿実油、菜種油、あまに油から選ばれる少なくとも一種からなる前記の液体現像剤である。
植物油が、トリグリセライドを構成する脂肪酸中にオレイン酸組成を６０質量％以上含有する前記の液体現像剤である。
植物油が、トリグリセライドを構成する脂肪酸中にリノール酸組成を５０質量％以上含有する前記の液体現像剤である。
植物油が、トリグリセライドを構成する脂肪酸中にリノレイン酸組成を５０質量％以上含有する前記の液体現像剤である。
正極性の電荷制御剤である有機チタネート化合物を含有する前記の液体現像剤である。
また、キャリア液として植物油を使用した液体現像剤の製造方法において、前記の化学式１〜５で表されるマゼンタ顔料を、正極性の帯電制御剤、植物油と混合してボールミル、ビーズミル、サンドミル、アトライターから選ばれる少なくとも１種の分散混合手段によって分散した液体現像剤の製造方法である。
【発明の効果】
【００１２】
本発明は、植物油をキャリア液に用いた正帯電性液体現像剤において、顔料に特定のベンズイミダゾロン顔料を採用することで、わずかな量の正帯電性の電荷制御剤を添加することによって、確実に正帯電性とすることが可能であって、電荷制御剤の大量の添加によって生じる重合等の問題が生じることがなく、保存安定性が優れた液体現像剤を提供すことができる。
また、トリグリセライドのリノール酸組成、あるいはリノレイン酸組成の含有量が多い植物油を使用した場合には、現像剤によって形成されたトナー像、キャリア液がそれ自体が酸化重合してトナー像を固定するために、定着手段を簡素化、あるいは定着手段を設けない画像形成装置の提供が可能となる。
【００１３】
また、記録媒体に酸性紙を使用した場合でも、使用した顔料が塩基性を帯びているので紙のｐＨを中和する方向に作用し、記録後の保存安定性が増大し、更に、酸性紙の酸は、付着した植物油が酸化重合時の触媒としても作用する。
また、着色顔料微粒子の分散一次粒子径が１μｍ以下であるので、植物油中において、顔料が正に帯電しやすく、正帯電制御剤を添加することでより確実に正極性に制御可能となるとともに、感光体上のカブリトナー量が減少するために現像同時クリーニングが実現する。
【発明を実施するための最良の形態】
【００１４】
本発明は、キャリア液に植物油を使用した正帯電用の液体現像剤において、帯電制御剤を添加した場合の顔料の帯電特性に着目して、特定の顔料にあっては良好な正帯電性が得られ、液体現像剤の保存性の低下の問題を改善することが可能であることを見出したものである。
すなわち、キャリア液に植物油を使用した正帯電用の液体現像剤に使用する顔料の帯電特性を調べると正負の両極性に帯電し、正帯電性とするためには大量の電荷制御剤を使用することが不可欠と考えられていたが、特定の顔料はわずかな電荷制御剤の添加によって良好な正帯電特性が得られ、保存安定性も良好なものとすることができることを見出したものである。
【００１５】
図１は、本発明の植物油中に分散した顔料の帯電特性の測定セルを説明する図であり、図１（Ａ）は、測定セルを示す斜視図であり、図１（Ｂ）は、電極部を説明する斜視図である。
測定セル１は、ガラス、合成樹脂等の電気絶縁性部材からなる容器２内に陽極側電極部３および陰極側電極部４が設置されている。
また、陽極側電極部３に設けた陽極端子５には、電流供給装置（図示せず）に結合された給電用の陽極側リード線６が接続されており、陰極側電極部４に設けた陰極端子７には、電流供給装置（図示せず）に結合された陰極側リード線８が接続されている。
陽極側電極部３および陰極側電極部４は、その上部に両電極部を所定の間隔を設けて保持するための保持部材取付溝９が設けられており、保持部材の取り付けによって測定中に両者が所定の間隔に保持される。
また、陽極電極部３および陰極電極部４の下部には、顔料分散液が円滑に供給されるように、流通溝１０が設けられている。
【００１６】
図１（Ｂ）に陽極電極部を示して説明するが、陰極電極部も同様の構造および部材から形成されている。
陽極電極部３は、ポリアセタール樹脂（ＰＯＭ）のような、耐油、および耐溶剤性が大きな樹脂に陽極係合用突起１１を設けた成形体が用いられる。
陽極係合用突起１１には、陽極１２が対極との間隔を一定に保持する絶縁性部材からなるスペーサ１３とともに取り付けられている。
陽極１２は、透明なガラス板上に、電流を印加した場合に印加電流によって溶出等をしないＩＴＯ等の透明導電膜１４を形成したものが好ましい。透明ガラス板上に透明導電膜を形成したものを用いることによって、所定の時間の通電による電気泳動の後に、陽極電極部から取り外した陽極上に析出した顔料の光学的な観察、および測定を容易に行うことが可能となる。
【００１７】
また、陽極電極部から取り外した陽極を、紙、合成樹脂フィルム等の転写材に押圧して顔料を転写した後に、反射濃度計等によって顔料濃度を測定しても良い。
陽極および陰極のそれぞれについて、析出した顔料、あるいはその転写像を比較することによって、正、負のいずれに帯電する特性を有するかを判断することができる。
【００１８】
以上の方法によって、マゼンタ顔料をキャリア液である植物油に電荷制御剤とともに分散し、その極性を電気泳動法によって測定すると、マゼンタ顔料の種類によっては、電荷制御剤の大きく作用して植物油中での正帯電性が良好なものがあることを見出したものである。
具体的には、以下の化学式１で示すマゼンタ顔料が、電荷制御剤を添加した場合の正帯電性が良好である。
【００１９】
【化６】
2007017956.tif 000004
ここに、Ｒ１：ＯＣＨ3 、ＣＯＯＣＨ3、ＣＯＯＣ4Ｈ9（ｎ）であり、Ｒ２：ＮＯ2、Ｈ、ＣＯＮＨＣ6Ｈ5、ＳＯ2ＮＨＣＨ3 であり、Ｒ：Ｈ、ＣＨ3である。
【００２０】
更に、好ましくは、化学式２で表されるピグメントレッド１７１、化学式３で表されるピグメントレッド１７５、化学式４で表されるピグメントレッド１７６、化学式５で表されるピグメントレッド２０８のいずれかのベンズイミダゾール顔料を挙げることができる。
【００２１】
【化７】
2007017956.tif 000005
【００２２】
本発明の液体現像剤に使用可能な植物油としては、サフラワー油、ひまわり油、大豆油、とうもろこし油、綿実油、菜種油、あまに油等を挙げることができる。
また、油脂はグリセリン１分子と、脂肪酸３分子のエステル、すなわちトリグリセライドであって、これにアルコールか脂肪酸を反応させることによって、原料の油脂の性質を変えたエステル交換油が得られることが知られているが、本発明の植物油には、植物油を原料としてエステル交換によって製造されるエステル交換油も含む。植物油は、１種類であっても複数種を混合したものであってもよく、植物油の分解によって得られるエステルを混合したものであっても良い。
とくに、オレイン酸、リノール酸、リノレイン酸等の不飽和結合の割合が多い脂肪酸組成からなるトリグリセライドは、酸化重合を起こすので定着手段をなくしたり、あるいは簡素化することができる。
本発明の液体現像剤に使用する植物油中のトリグリセライドの組成の一例を、それぞれを構成する脂肪酸中のオレイン酸、リノール酸およびリノレイン酸の割合を質量％で表すと以下の表１のとおりである。表において不脂肪酸名で表記した。
【００２３】
【表１】
2007017956.tif 000006
【００２４】
したがって、キャリア液の植物油は、トリグリセライドを構成する脂肪酸中にオレイン酸組成を６０質量％以上含有する、菜種油を含むものであることが好ましい。
また、キャリア液の植物油は、トリグリセライドを構成する脂肪酸中にリノール酸組成を５０質量％以上含有する、サフラワー油、ひまわり油、大豆油、とうもろこし油、綿実油の少なくともいずれか１種を含むものであることが好ましい。
また、キャリア液の植物油は、トリグリセライドを構成する脂肪酸中にリノレイン酸組成を５０質量％以上含有する、あまに油を含むものであることが好ましい。
【００２５】
本発明の液体現像剤には、顔料とともに、電荷制御剤、樹脂、酸化防止剤等を配合することができる。具体的には、電荷制御剤としては、例えば、テトラエチルチタネート、テトライソプロピルチタネート、テトラ−ｎ−プロピルチタネート、テトラ−ｎ−ブチルチタネート、テトラ−ｔｅｒｔ−ブチルチタネート、テトラ−２−エチルヘキシルチタネート、テトラオクチルチタネート、テトラメトキシチタン等や、チタニルアセチルアセテート等のチタンキレート等を挙げることができ、さらにその他の例としては、チタネートカップリング剤例えば、イソプロピルトリイソステアロイルチタネート、イソプロピルトリデシルベンゼンスルホニルチタネート、イソプロピルトリス（ジオクチルピロホスフェート）チタネート、テトライソプロピルビス（ジオクチルホスファイト）チタネート、テトラオクチルビス（ジトリデシルホスファイト）チタネート、テトラ（２,２−ジアリルオキシジルメチル−１−ブチル）ビス（ジ−トリデシル）、ビス（ジオクチルパイロフォスフェート）エチレンチタネート、イソプロピルトリオクタノイルチタネート、イソプロピルジメタクリルイソステアロイルチタネート、イソプロピルイソステアロイルジアクリルチタネート、イソプロピルトリ（ジオクチルホスフェート）チタネート、イソプロピルトリクミルフェニルチタネート、イソプロピルトリ（Ｎ−アミノエチル−アミノエチル）チタネートが挙げられる。
【００２６】
また、樹脂としては、エチレン・酢酸ビニル共重合体、ポリエステル樹脂、スチレン・アクリル樹脂、ロジン変性樹脂、ポリエチレン、エチレン・アクリル酸共重合体、エチレン・無水マレイン酸共重合体、ポリビニルピリジン、ポリビニルピロリドン、エチレン・メタクリル酸共重合体またはエチレン・アクリル酸エステル共重合体から選ばれる１種もしくは２種以上の樹脂を用いることができる。
【００２７】
また、酸化防止剤としては、ジブチルヒドロキシアニソール、ジブチルヒドロキシトルエン、トコフェノール、Ｌ−アスコルビン酸、エリソルビン酸、カテキン等が挙げられる。
【００２８】
本発明の液体現像剤は、植物油、顔料等を配合してアトライター、サンドミル、ボールミル、振動ミル等で分散することによって、着色微粒子の一次粒子径を粒径１μｍ以下の個数平均粒径とすることが好ましい。
【実施例】
【００２９】
実施例１
（液体現像剤の調製１）
容量５００ｍｌのステンレス容器に、直径５ｍｍのジルコニア製ボール３２０ｇ、大豆油１００ｇ、分散剤（味の素ファインテクノ製アジスパーＰＡ１１１）０．１１ｇと、化学式２で示すベンズイミダゾロン顔料：ピグメントレッド１７１を１５ｇ入れて、攪拌機（中央理化器製作所製トルネードＳＭ型プロぺラ攪拌羽根）を用い、回転数５０４ｐｐｍで１４時間分散混合した。分散終了後、分散試料５ｇを採取し、ひまわり油３０ｇに添加して充分に混合した。
【００３０】
（電気泳動による帯電特性の評価）  
先に説明した図１に示す帯電特性の測定セルを用いて顔料分散液の帯電挙動を調べた。帯電特性の測定セルは、電極間距離２ｍｍに３００Ｖの直流電圧を１０秒間印加して、ＩＴＯの透明電極に電気泳動によって着色微粒子を付着させた。ＩＴＯの透明電極を測定セルから取外し、陽極及び陰極上に付着した着色微粒子を転写紙（富士ゼロックスオフィスサプライ製ＰＰＣ用上質紙Ｊ紙）上に押圧転写して、それぞれの電極上に付着した着色微粒子を転写紙上に着色ベタ像として得ることができた。
【００３１】
得られた着色ベタ像の濃度を１日放置後に反射濃度計（X-Rite社製、モデル５２０型分光濃度計）を用いて、反射濃度として測定した。電極に付着した量は、転写紙上の反射濃度値より、陰極側の反射濃度が大きなものは、顔料分散微粒子が正に帯電し、陽極側の反射濃度が陰極側の反射濃度が大きなものは、顔料分散微粒子が負に帯電しているものと評価でき、陽極側と陰極側の反射濃度が同じものは中性に帯電したものと評価できる。
これらの結果を、表２において、帯電特性が正のものを＋、帯電特性が負のものを−、正、負が同程度のものを±で表した。
【００３２】
また、同様に調製した液体現像液に対して正極性の帯電制御剤（ＣＣＡ）として、チタニウムテトラ−ｎ−ブトキシドモノマーを０．２１ｇ添加し、十分に攪拌して電荷制御剤、を含んだ着色分散微粒子の帯電性を帯電特性測定セルによって同様にして調べた際の負電極側および正電極側の電極付着ベタ反射濃度の測定結果を表２に示す。
また、比較のために、ナフトールレッドＰ.Ｒ.１１２として知られている以下の化学式６で示されるの化合物を用い同様な実験を行い、その結果を表２に示した。
【００３３】
【化８】
2007017956.tif 000007
【００３４】
【表２】
2007017956.tif 000008
【００３５】
表２の結果によれば、本発明のベンズイミダゾロン系有機顔料は、正極性の電荷制御剤を添加することにより正極性に帯電するものであるが、置換基にハロゲン、この比較例では塩素原子を有しており、正極性の電荷制御剤を添加してもほぼ中性の帯電極性を示し、負電極側と正電極側に付着する着色分散微粒子の量はほぼ同量であった。
【００３６】
実施例２−９、比較例１
代表的な植物油の主なトリグリセライドを構成する脂肪酸中の不飽和脂肪酸組成を質量％で各脂肪酸名を表記して表３に示す。
【００３７】
【表３】
2007017956.tif 000009
【００３８】
また、各着色剤と組合せて使用する正電荷制御剤と植物油を表４に、その電気泳動結果と共に示す。なお、表４にはアルミ系カップリング剤（アルキルアセトアセテートアルミニウムジイソプロピレート）を用いた比較例も示している。各電荷制御剤の添加量は実施例１と同じ量の０．２１ｇとした。
各着色分散剤の調製は、分散剤として、味の素ファインテクノ製アジスパーＰＮ４１１の０．２ｇを用いた点を除き実施例１と同様に行い、１４時間の分散処理後の着色剤の凝集粒子径をレーザー顕微鏡（キーエンス社製、ＶＨ−７０００）を用いて測定したところ、いずれの場合も１μｍ以下であった。
電気泳動評価試験は、実施例１と同様にして行った。その結果を表４に示す。
【００３９】
【表４】
2007017956.tif 000010
【００４０】
表の結果によると、正極性の有機チタネート化合物である電荷制御剤の添加により、各分散着色微粒子は確実に正に帯電したが、アルミ系カップリング剤を添加した比較例１では負電極側に付着した量と正電極側に付着した量がほぼ拮抗しており、液体現像剤としてみた場合ほぼ中性として評価されるものであった。
キャリア液に植物油を用いた場合に、正負の両極性に同等に帯電する特定の顔料にあっては、有機チタネート化合物を添加することによって、正極性に帯電する液体現像剤が得られることが示された。
【００４１】
また、分散着色微粒子の凝集粒子径を１μｍ以下とすることが効果的であるが、１００ｎｍよりも大きくすることが好ましい。
すなわち、実施例４の分散着色剤を２４時間粉砕分散し、一次粒子径が１００ｎｍ未満になるように微粉砕したところ、電気泳動により正負の電極側に泳動した付着物を転写紙に押圧転写して得られるベタ画像濃度を同様に測定したところ、負電極側と正電極側に付着したベタ画像濃度は、１．０９と０．３１であり、あまりにも小さくすると隠ぺい力が低下する傾向がある。
【００４２】
実施例１０
（画像評価試験）
作製した液体現像剤を、図２に示す液体現像方式の画像形成装置を用い、現像・転写・クリーニング・定着を行った。
画像形成装置２０において、感光体２１には単層型の正帯電有機感光体を用い、現像ローラ２２は弾性部材からなる。先ず、感光体２１表面をスコロトロン２３で＋６５０Ｖに帯電し、画像信号により制御されたレーザ光２４を照射して潜像を形成する。次いで、現像ローラ２２に＋６００Ｖの現像バイアスを印加して現像を行う。現像ローラ２２にはアニロックスローラ２５が同方向に接触回転しながら、規制ブレード２６で層厚を規制された液体現像剤が供給される。
【００４３】
アニロックスローラ２５にはスポンジ状の弾性ローラである供給ローラ２７から液体現像剤が供給されている。転写バイアスは−９５０Ｖであり、転写紙２８を一対の供給ローラ２９により画像転写の同期をとりながら速度は２００ｍｍ／秒で矢印に示すよう供給される。
転写ローラ３０は弾性ローラからなり、転写バイアスが制御系を通じて印加されている。転写紙に転写された画像は撥油性材料からなる熱定着ローラ３１間を通過し定着が行われる。定着温度は９０℃に設定されており、接触程度では転写紙上から、現像・転写されたトナー像が接触程度では他の部材に移行しない程度に定着が行われるように設定することができる。
【００４４】
転写残りトナーが発生した場合は、感光体に接触したクリーニング弾性ローラ３２が感光体上から付着する液体現像剤を移動させながら、上部に位置するクリーニングブレード３３によって除去する。クリーニングされた感光体は再び帯電・露光・現像・転写・クリーニングのサイクルを繰り返しながら、単色画像を形成することができる。
【００４５】
図２に示した画像形成装置において、実施例２−８に記載の各植物油２００ｇに対して各顔料分散液１５ｇを添加し、十分に混合して液体現像剤とした。５％原稿とベタ画像の印字出力を行った。定着性の評価は、転写紙（富士ゼロックスオフィスサプライ製ＰＰＣ用紙Ｊ紙）上に形成された印字物の上から１２ｍｍ幅の粘着テープ（住友スリーエム製  メンディングテープ）を貼り付けて、剥がし、転写紙上に残った印字物濃度と剥がす前の濃度を反射濃度計（Ｘ−Ｒｉｔｅ社製）を用いて測定して、剥がす前の濃度に対する割合を、表５において百分率で示した。
【００４６】
【表５】
2007017956.tif 000011
【００４７】
表５の結果によると、何れにおいても定着率が８０％以上あった。なかでも、トリグリセライドを構成する脂肪酸中のリノール酸組成が少ない菜種油が最も少ない定着率を示したが、最も高い定着率を示したのは不飽和結合が３個あるリノレン酸組成を含む液体現像剤であるあまに油であった。この結果によれば、不飽和脂肪酸を多く含む植物油が定着性に優れることが示され、また、トリグリセライドを構成する脂肪酸中にリノール酸組成を５０質量％以上、あるいはトリグリセライドを構成する脂肪酸中にリノレン酸組成を５０質量％以上含む植物油が液体現像剤のキャリア液として優れることが分かった。
また、これらの液体現像剤を２５℃において１ケ月放置後に再び印字試験を行い、放置前と１ケ月放置後の画像を比較したが変化は見られなかった。
【産業上の利用可能性】
【００４８】
本発明は、キャリア液として植物油を使用した液体現像剤において、特定の化学構造を有した正帯電性、負帯電性とを示すベンズイミダゾロン顔料に、電荷制御剤として有機チタネート系電荷制御剤を添加することによって、安定した正帯電性が得られ、保存安定性も良好な液体現像剤を提供することができる。
【図面の簡単な説明】
【００４９】
【図１】図１は、本発明の植物油中に分散した顔料の帯電特性の測定セルを説明する図である。
【図２】図２は、液体現像方式の画像形成装置を説明する図である。
【符号の説明】
【００５０】
１…測定セル、２…容器、３…陽極側電極部、４…陰極側電極部、５…陽極端子、６…陽極側リード線、７…陰極端子、８…陰極側リード線、９…保持部材取付溝、１０…流通溝、１１…陽極係合用突起、１２…陽極、１３…スペーサ、１４…透明導電膜、２０…画像形成装置、２１…感光体、２２…現像ローラ、２３…スコロトロン、２４…レーザ光、２５…アニロックスローラ、２６…規制ブレード、２７…供給ローラ、２８…転写紙、２９…供給ローラ、３０…転写ローラ、３１…熱定着ローラ、３２…クリーニング弾性ローラ、３３…クリーニングブレード
【図１】
2007017956.tif 000016
【図２】
2007017956.tif 000017